(57)【特許請求の範囲】
【請求項１】
電子運転免許証の裏面に設けられた電子ペーパーと、
運転免許証情報と交通違反情報を記憶する記憶手段と、
前記交通違反情報に基づいて前記裏面の電子ペーパーに交通違反切符を表示させ、交通違反の反則金の納付を行う納付装置から反則金の納付が完了したことを知らせるデータを受信したときに前記交通違反切符を前記電子ペーパーから消去し、さらに、前記運転免許証情報と前記交通違反情報を外部に出力する制御手段とを備える電子運転免許証。
【請求項２】
電子運転免許証の表側に設けられ、前記運転免許証情報を表示する第２の電子ペーパーを有する請求項１記載の電子運転免許証。
【請求項３】
交通違反情報を記憶する記憶部と交通違反切符が表示される電子ペーパーとを有する電子運転免許証に対して接触または非接触でデータの読み取り及び書き込みを行う読み取り・書き込み手段と、
違反者により反則金が納付されたことをサーバ装置に通知する通知手段と、
前記サーバ装置から交通違反情報の消去を指示するデータを受信したとき、前記電子運転免許証の裏面の前記電子ペーパーに表示されている前記交通違反切符を消去する制御手段とを備える納付装置。
【発明の詳細な説明】
【技術分野】
【０００１】
本発明は、電子ペーパーを有する電子運転免許証、違反切符を発行する違反切符発行装置及び交通違反の反則金の納付装置に関する。
【背景技術】
【０００２】
従来、警察官は交通違反の車両を発見した場合、運転者の運転免許証を確認し、違反切符に運転免許証の記載事項を書き写し、違反の発生場所、日時等を記入して違反切符を発行していた。しかし、違反切符には免許証番号、氏名、住所など記載する項目が多いため、記入作業に時間がかってしまい、駐車違反取締りの業務が効率的に行なうことが難しかった。このような問題を解決するために種々の提案がなされている。
【０００３】
特許文献１には、運転免許証を読み取り部で読み取り、予め記憶してある違反切符のフォーマットの画面に、免許証から読み取った画像を表示させることで違反切符を簡単に発行できるようにすることが記載されている。
【０００４】
特許文献２には、運転免許証の記載内容をイメージデータ読み取り手段で読み取り、読み取ったイメージデータと、入力手段から入力されたデータをメモリカードに記憶すると共に、メモリカードに記憶したデータに基づいて交通違反帳票を発行する携帯型の交通違反帳票発行機について記載されている。
【０００５】
特許文献３には、電子運転免許証から無線で送信される情報を、運転免許証検札用携帯端末で受信することで、免許証の検札業務の効率化を実現する運転免許証システムについて記載されている。
【０００６】
特許文献４には、免許証情報を読み取る読み取り装置と、読み取り装置により読み取った免許証記載情報を表示する表示装置と、表示装置の表面に配設される透明タッチパネルと、入力装置と、交通違反切符を印刷するプリンタとを有する交通違反切符発行器について記載されている。
【０００７】
従来の方法は、何れも違反切符を紙に印刷して発行しており、違反切符自体は電子化されておらず、違反切符の発行者と違反者の利便性が考慮されていなかった。さらに、紙に印刷された違反切符を受け取った人は、その違反切符を銀行等の窓口に持っていって反則金を支払う必要があり、反則金の支払い手続きに時間がかかるという問題点もあった。さらに、従来の方法では、警察官が運転免許証を見てもその人が反則金を納付期限納付に支払っているかどうかは分からないので、反則金を支払わずに運転を続けることも可能であった。
【特許文献１】特開平７−１２１６０５号公報
【特許文献２】特開平８−１４７４２９号公報
【特許文献３】特開平９−２５９３０７号公報
【特許文献４】特許第３６４０１０７号公報
【発明の開示】
【発明が解決しようとする課題】
【０００８】
本発明の課題は、運転免許証を利用して反則金の納付が手軽に行える電子運転免許証を提供することである。
【課題を解決するための手段】
【０００９】
本発明の電子運転免許証は、電子運転免許証の裏面に設けられた電子ペーパーと、運転免許証情報と交通違反情報を記憶する記憶手段と、前記交通違反情報に基づいて前記裏面の電子ペーパーに交通違反切符を表示させると共に、前記運転免許証情報または前記交通違反情報を外部に出力する制御手段とを備える。
【００１０】
この発明によれば、電子運転免許証の裏面の電子ペーパーに交通違反切符が表示されるので、交通違反切符を紛失するのを防止できる。また、運転免許証情報を外部の装置（例えば、違反切符発行装置）に出力することで、違反切符発行装置における、交通違反切符の作成作業を簡素化でき、交通違反切符の発行に要する時間を大幅に短縮できる。また、電子運転免許証に交通違反情報を記憶することで、納付装置を利用して交通違反の反則金を簡単に納付することができる。これにより、違反者は、銀行等の窓口に行かなくとも、納付装置が設置されたコンビニやＡＴＭ（現金自動預払機）を利用して手軽に反則金を納付することができる。
【００１１】
上記の電子運転免許証において、電子運転免許証の表側に設けられた、運転免許証情報を表示する第２の電子ペーパーを有する。
このように構成することで、免許の更新時に、第２の電子ペーパーに表示される運転免許証情報を書き換えることで電子運転免許証を再利用することができる。これにより、運転免許証の発行費用を低減できる。
【００１２】
上記の電子運転免許証において、前記制御手段は、交通違反の反則金の納付を行う納付装置から、反則金の納付が完了したことを知らせるデータを受信したとき、前記交通違反切符を前記電子ペーパーから消去する。
【００１３】
このように構成することで、反則金が未納の場合には、交通違反切符が消去されないので、電子運転免許証を見るだけで違反金が納付済みか否かを確認できる。
本発明の交通違反切符発行装置は、電子運転免許証から運転免許証情報を取得する取得手段と、交通違反のデータを入力する入力手段と、前記運転免許証情報と前記入力手段から入力されたデータに基づいて交通違反切符を作成し、前記電子運転免許証の裏面の電子ペーパーに前記交通違反切符を表示させる制御手段とを備える。
【００１４】
本発明によれば、電子運転免許証に記憶されている運転免許証情報を利用して簡易に交通違反切符を発行することができる。
本発明の納付装置は、交通違反情報を記憶する記憶部と交通違反切符が表示される電子ペーパーとを有する電子運転免許証に対して接触または非接触でデータの読み取り及び書き込みを行う読み取り・書き込み手段と、違反者により反則金が納付されたことをサーバ装置に通知する通知手段と、前記サーバ装置から交通違反情報の消去を指示するデータを受信したとき、前記電子運転免許証の裏面の前記電子ペーパーに表示されている前記交通違反切符を消去する制御手段とを備える。
【００１５】
この発明によれば、違反者は、銀行等の窓口にわざわざ行かなくとも、近くにある納付装置で電子運転免許証を利用して交通違反の反則金を手軽に納付することができる。
【発明の効果】
【００１６】
本発明の電子運転免許証によれば、従来の様に違反キップを運転免許証とは別に所持する必要がなくなるため、交通違反切符を紛失する可能性が少なくなる。本発明の違反切符発行装置によれば、電子運転免許証に記憶されている運転免許証情報を利用して電子ペーパーに交通違反切符を表示させることができる。また、本発明の納付装置によれば、違反者は、銀行等の窓口にわざわざ行かなくとも、納付装置が設置されたコンビニやＡＴＭ（現金自動預払機）で電子運転免許証を利用していつでも交通違反の反則金を手軽に納付することができるため、反則金の納付率の向上が望める。
【発明を実施するための最良の形態】
【００１７】
以下、本発明の好適な実施の形態について説明する。図１は、実施の形態の電子ペーパーを有する電子運転免許証１１の外観図である。
電子運転免許証（以下、運転免許証という）１１は、表側と裏側が電子ペーパーで構成され、ＣＰＵ、メモリ等が搭載されたＩＣカードである。表側の電子ペーパー１２には、氏名、住所、有効期限、免許番号、免許の種類等からなる運転免許証情報が表示される。裏面の電子ペーパー１３には、記載事項変更内容や交通違反切符が表示される。
【００１８】
電子ペーパー１２、１３は、表示データを電源オフの状態でも保持する機能を有し、電子分流体方式、マイクロカプセル型電気詠動方式、メモリ性を有する液晶などの種々のタイプのものがある。実施の形態の電子ペーパー１２、１３は、Ｒ，Ｇ，Ｂの３色のコレステリック液晶を薄い透明フィルムで挟んだ構造のものを用いている。
【００１９】
図２は、運転免許証１１のブロック図である。運転免許証１１は、ＣＰＵ等からなる制御部２１と、メモリ部２２と、表示部（電子ペーパー）２３と、通信部２４とからなる。
制御部２１は、メモリ部２２に記憶されている運転免許証データなどを電子ペーパー１２、１３に表示させる。メモリ部２２には、運転免許証情報と裏面の記載変更事項、あるいは交通違反切符情報（交通違反情報）が記憶されている。メモリ部２２のデータは、例えば、暗号化されて記憶されており、復号鍵を有しない外部装置からは読み出すことができない。通信部２４は、制御部２１の制御のもとに外部の装置（例えば、違反切符発行装置）にデータを出力する。
【００２０】
メモリ部２２から読み出された運転免許証情報、違反切符情報等は、制御部２１により表示部２３の電子ペーパー１２、１３に書き込まれる。
図３は、違反切符発行端末（装置）３１の外観図である。違反切符発行端末３１は、タッチパネル式の表示部３２と、入力用のタッチペン３３と、キー入力部３４とからなる。この違反切符発行端末３１の右側面には、運転免許証１１を挿入する挿入口が設けられており、運転免許証１１を挿入した状態で記載事項の修正、交通違反情報の書き込み等を行うことができる。
【００２１】
図４は、違反切符発行端末３１の構成を示す図である。違反切符発行端末３１は、リーダライタ部４１と、メモリ部４２と、入力部３４と、表示部３２と、通信部４３と、制御部４４からなる。
【００２２】
リーダライタ部４１は、運転免許証１１に対するデータの読み取り及び書き込みを行う。メモリ部４２は、運転免許証１１から読み出したデータを一時記憶すると共に、交通違反情報を管理するサーバ装置５１（図５）から送信されてくるデータを記憶する。
【００２３】
キー入力部３４は、図３のキー入力部３４とタッチパネル表示部３２とで構成される。通信部４３は、運転免許証１１及びサーバ装置５１との間の通信を行う。制御部４４は、リーダライタ部４１の読み取り、書き込みの制御、メモリ部４２のデータの読み出し、書き込みの制御等を行う。
【００２４】
図５は、実施の形態の交通違反管理システムの構成を示す図である。交通違反管理システムは、交通違反情報を管理するサーバ装置５１と、違反切符発行端末３１と、コンビニエンスストア等に設置される反則金の納付端末５２と、銀行等の端末５３からなる。
【００２５】
サーバ装置５１は、警察官のＩＤ、暗証番号等が登録されている警察官データベース５
４と、違反者データベース５５と、個々の違反内容が登録されている違反データベース５６とを有している。
【００２６】
サーバ装置５１は、違反切符発行端末３１からキー入力部３４またはタッチパネル表示部３２により入力された警察官ＩＤと暗証番号を受信すると、受信した警察官ＩＤ及び暗証番号を警察官データベース５４に登録されているデータと照合し、一致するデータの組が存在するか否かを判定する。一致するデータの組が存在する場合には、その操作者にアクセス権限があることを違反切符発行端末３１に通知し、一致するデータの組が存在しない場合には一致しない旨を違反切符発行端末３１に通知する。また、違反切符発行端末３１から送信されてくる交通違反者に関する情報、違反内容等を違反者データベース５５及び違反データベース５６に登録する。
【００２７】
図６〜図８は、それぞれ警察官データベース５４、違反者データベース５５、違反データベース５６の構成を示す図である。
図６に示す警察官データベース５４は、１つのレコードが、警察官の所属する警察署名と、氏名と、暗証番号と、ＩＤで構成されている。
【００２８】
違反切符発行端末３１から操作者（警察官）のＩＤと暗証番号が送信されてくると、サーバ装置５１は、ＩＤコードをキーにして警察官データベース５４を検索し、入力された暗証番号と登録されている暗証番号を比較して、両者が一致する場合のみ運転免許証１１へのアクセスを許可する。
【００２９】
図７に示す違反者データベース５５は、１つのレコードが、運転免許番号と、違反日と、違反内容と、反則金と、納期期限と、納付日と、納付フラグとで構成されている。
違反切符発行端末３１により交通違反情報が運転免許証１１に書き込まれると、その交通違反情報は運転免許証情報と共にサーバ装置５１に送信される。サーバ装置５１は、運転免許番号と対応付けて違反データを違反者データベース５５と違反データベース５６に登録する。この違反者データベース５５を、例えば、運転免許番号をキーにして検索することで、運転免許証の１１の所有者が交通違反をしているか否か、反則金が納付済みか否かを即座に調べることができる。
【００３０】
図８に示す違反データベース５６は、１つのレコードが、運転免許番号と違反内容と反則金で構成されている。この違反データベース５６を、例えば、運転免許番号をキーにして検索することで違反内容と反則金の金額を調べることができる。
【００３１】
次に、図９は、違反切符発行端末３１の処理動作を示すフローチャートである。以下の処理は、基本的には制御部４４により実行されるが、人が行う操作も含めて示してある。
警察官は違反者を見つけた場合、違反者より運転免許証の提示を求め、提示された運転免許証１１を違反切符発行端末３１に挿入し、自分のＩＤを入力する（Ｓ１１）。さらに、入力部３４から暗証番号を入力する（Ｓ１２）。制御部４４は、入力されたＩＤと暗証番号をサーバ装置５１に送信する（Ｓ１３）。
【００３２】
サーバ装置５１は、入力されたＩＤと暗証番号と警察官データベース５４に登録されているデータと照合して、照合結果を違反切符発行端末３１に送信する。
違反切符発行端末３１の制御部４４は、照合結果がＯＫか否かを判別する（Ｓ１４）。サーバ装置５１による照合結果がＮＧのときには（Ｓ１４、ＮＧ）、ステップＳ１５に進み、表示部４４にＩＤ、暗証番号の再入力を要求するメッセージを表示する。
【００３３】
他方、照合結果がＯＫであったときには（Ｓ１４、ＯＫ）、ステップＳ１６に進み、運転免許証１１から運転免許証情報を取得する。このステップＳ１６の処理では、例えば、
違反切符発行端末３１の制御部４４が通信部４３を介して運転免許証１１の通信部２４との間でデータの送受信を行い、運転免許証情報を受信する。
【００３４】
次に、取得した運転免許証情報を表示部３２に表示する（Ｓ１７）。操作者（警察官）は、運転免許証情報を目視で確認しながら、交通違反の内容を入力部４３から入力する（Ｓ１８）。ステップＳ１８の処理では、運転免許証１１から取得した運転免許証情報と、入力された交通違反データがメモリに保存され、それらの情報が交通違反切符の作成に利用される。
【００３５】
制御部４４は、運転免許証情報と交通違反の内容を示すデータをサーバ装置５１に送信する（Ｓ１９）。
サーバ装置５１は、違反切符発行端末３１からデータを受信すると、違反者データベース５５と違反データベース５６にデータを登録し、登録後の違反データ（交通違反情報）を違反切符発行端末３１に送信する。
【００３６】
違反切符発行端末３１の制御部４４は、サーバ装置５１から違反データを受信すると（Ｓ２０）、受信した違反データを表示部３２に表示する（Ｓ２１）。
操作者は、表示部３２の表示内容を確認する（Ｓ２２）。このとき修正事項があれば修正する。
【００３７】
制御部４４は、修正の有無を判断する（Ｓ２３）。修正があったときには（Ｓ２３、有）、ステップＳ１８に戻り上記の処理を繰り返す。
他方、修正がなかったときには（Ｓ２３、無）、ステップＳ２４に進み、運転免許証１１に違反データを送信する共に、反則金の納付が必要な場合には、納付書（反則金と納付期限を示すデータ）も同時に送信する。
【００３８】
運転免許証１１が違反データ、あるいは違反切符の書き込みが完了したことを確認したなら、違反者に運転免許証を返却する（Ｓ２５）。
図１０は、違反切符発行時の運転免許証１１側の処理を示すフローチャートである。
【００３９】
違反切符発行端末３１から運転免許証情報の要求を受信すると（図１０、Ｓ３１）、運転免許証１１の制御部２１は、メモリ部２２に記憶されている運転免許証情報を読み出し違反切符発行端末３１に送信する（Ｓ３２)。
【００４０】
次に、違反切符発行端末３１から違反データを受信すると（Ｓ３３）、受信した違反データを裏面の電子ペーパー１３に表示させる(Ｓ３４）。このとき、違反データが反則金の支払いが必要な違反切符であったときには、違反切符の内容を裏面の電子パーパー１３に表示する。
【００４１】
図１１（Ａ）、（Ｂ）は、違反切符と記載事項変更時の表示例を示す図である。図１１（Ａ）は交通違反切符の表示例であり、運転免許証１１の裏面の電子ペーパー１３には、違反切符が交付された日付、交付者、違反車両の種類、車両の登録番号、違反事項、反則金、納付期限等が表示される。
【００４２】
図１１（Ｂ）は記載事項を変更した場合の表示例であり、運転免許証１１に記載されている住所が変更された場合には、変更された住所が裏面の電子ペーパー１３に表示される。
【００４３】
図１２は、コンビニエンスストア等に設置される納付端末５２の構成を示す図である。実施の形態では、納付端末５２と運転免許証１１を用いて交通違反切符の反則金を納付す
ることができる。
【００４４】
納付端末５２は、リーダライタ部６１、メモリ部６２、入力部６３、表示部６４、通信部６５、制御部６６からなる。
リーダライタ部６１は、接触または非接触で運転免許証１１に対してデータの読み出し及び書き込みを行う。メモリ部６２は、運転免許証１１から読み出したデータを一時記憶すると共に、サーバ装置５１から送信されてくるデータを記憶する。
【００４５】
表示部６４は、操作者に対するメッセージを表示すると共に、入力部６３から入力されたデータを表示する。通信部６５は、リーダライタ部６１で読み取った違反切符情報をネットワークを介してサーバ装置５１に送信すると共に、サーバ装置５１からデータを受信する。
【００４６】
制御部６６は、リーダライタ部４１の読み取り及び書き込みの制御、メモリ部４２のデータの読み出し及び書き込みの制御等を行う。
図１３は、反則金納付時の納付端末５２の処理を示すフローチャートである。以下の処理には、反則金を支払う違反者の操作も含めて示してある。
【００４７】
違反者は、銀行またはコンビニエンスストアに設置される納付端末５２のリーダライタ部６１に運転免許証１１を挿入または非接触の状態で近づける（運転免許証をかざす）（Ｓ４１）。
【００４８】
納付端末５２の制御部６６は、挿入または非接触の状態で近づけられた運転免許証１１の運転免許証情報（例えば、運転免許番号）を取得し、その運転免許番号をサーバ装置５１に送信して交通違反データが登録されている否かを照会する（Ｓ４２）。
【００４９】
制御部６６は、サーバ装置５１の照合結果が違反有りか否かを判別する（Ｓ４３）。照合結果が違反無しの場合には（Ｓ４３、無し）、ステップＳ４４に進み、納付端末５２の表示部６４に「違反データなし」というメッセージを表示する。
【００５０】
他方、照合結果が違反データ有りの場合には（Ｓ４３、有り）、ステップＳ４５に進み、違反者データベース５５及び違反データベース５６から読み出された違反データ等を受信し、違反データ等を表示部６４に表示する。
【００５１】
違反者は表示部６４に表示される違反内容を確認し、反則金を支払う（Ｓ４６）。納付端末５２は、投入口から所定の反則金が投入されると、反則金納付済みデータをサーバ装置５１に送信する（Ｓ４７）。
【００５２】
サーバ装置５１は、納付端末５２から反則金納付済みデータを受信すると、違反者データベース５５の反則金納付フラグを支払い済みにして、納付端末５２に違反情報消去データを送信する（Ｓ４８）。
【００５３】
納付端末５２は、サーバ装置５１から違反情報消去データを受信すると（Ｓ４９）、運転免許証１１の交通違反切符情報を消去する（Ｓ５０）。交通違反切符情報が消去されると、運転免許証１１の制御部２１により裏面の電子ペーパー１３の交通違反切符が消去される。ステップＳ５０の処理では、例えば、納付端末５２が直接運転免許証１１の違反切符を消去しても良いし、納付端末５２が運転免許証１１に違反切符の消去を指示し、運転免許証１１の制御部２１が、メモリ部２２に記憶されている違反切符情報と、電子ペーパー１３に表示されている違反切符情報の消去を行うようにしても良い。
【００５４】
図１４は、反則金納付時のサーバ装置５１の処理を示すフローチャートである。
納付端末５２から違反切符情報と納付情報（反則金とその納付期限）を受信すると（Ｓ５１）、サーバ装置５１は、運転免許番号をキーにして違反者データベース５５を検索し、違反者を特定する（Ｓ５２）。
【００５５】
サーバ装置５１は、納付端末５２から違反金の納付通知を受信すると、違反者データベース５５の該当する違反データに納付日を書き込み、納付フラグを納付済みにして、違反者データベース５５を更新する（Ｓ５３）。
【００５６】
サーバ装置５１は、その後、納付端末５２に違反情報消去データを送信する（Ｓ５４）。サーバ装置５１から違反情報消去データを受信すると、納付端末５２は、運転免許証１１の裏面の電子ペーパー１３に表示されている交通違反切符を消去する。
【００５７】
図１５は、納付端末５２の表示状態を示す図である。図１５（Ａ）は、運転免許証１１のデータを非接触で読み取るタイプの納付端末５２の表示状態を示している。この場合、リーダライタ部６１に「免許証をかざしてください」というメッセージが固定表示されている。違反者が、運転免許証１１をリーダライタ部６１にかざすと、納付端末５２により交通違反切符情報が運転免許証１１から読み取られ、表示部６４に「反則事項」と「反則金」等が表示される。違反者は、表示された反則金を図示しない投入口から投入することで反則金を支払うことができる。また、納付端末はコンビニのＰＯＳ端末やＡＴＭ（現金自動預払機）に接続することにより、ＰＯＳ端末やＡＴＭで現金を投入して支払うことが出来る。
【００５８】
図１５（Ｂ）は、運転免許証１１を挿入するタイプの納付端末５２の表示状態を示している。この場合、リーダライタ部６１に「免許証を挿入してください」というメッセージが固定表示されている。違反者が、リーダライタ部６１に運転免許証１１を挿入すると、交通違反切符情報が運転免許証１１から読み取られ、表示部６４に「違反事項」と「反則金」が表示される。
【００５９】
次に、図１６は、違反切符発行端末３１からの問い合わせに対するサーバ装置５１の処理を示すフローチャートである。
サーバ装置５１は、違反切符発行端末３１から違反者情報を受信する（Ｓ６１）。サーバ装置５１は、違反事項を指定して反則金の問い合わせを受けた場合には、違反データベース５６を違反事項をキーに反則金を抽出する（Ｓ６２）。そして、その違反事項に対応する反則金情報を違反切符発行端末３１へ送信する（Ｓ６３）。
【００６０】
上述した実施の形態によれば、運転免許証１１に交通違反情報（交通違反切符情報）を書き込み、運転免許証１１の裏面の電子ペーパー１３に交通違反切符を表示させることができる。これにより、違反者にとっては、運転免許証１１の裏面の電子ペーパー１３に違反切符が表示されるので、違反切符を紛失する可能性がなくなる。
【００６１】
実施の形態の運転免許証１１は、内部に運転免許証情報が記憶されているので、違反切符発行端末３１が、その運転免許証情報を利用して交通違反切符を作成することで、交通違反切符を発行するための作業が簡略化できる。これにより、入力操作に慣れていない人でも違反切符を発行することができる。
【００６２】
さらに、運転免許証１１に交通違反切符情報を書き込むことで、コンビニエンスストア等に設置する納付端末５２を利用して反則金を手軽に納付することができる。また、反則金の納付が完了した時点で、運転免許証１１の交通違反切符を消去することができる。
【００６３】
本発明は上述した実施の形態に限らず、例えば、以下のように構成しても良い。
（１）実施の形態は、運転免許証１１の表面と裏面の両方が電子ペーパーで構成されている場合について説明したが、両面が電子ペーパーで構成されているものに限らず、裏面のみが電子ペーパーで構成され、裏面に交通違反切符を表示するものであっても良い。
（２）納付端末５２が、サーバ装置５１から違反データを受信して納付端末５２の表示部に表示する方法に限らず、納付端末５２が、運転免許証１１から交通違反切符情報を取得し、その交通違反切符情報を利用して反則金の納付を行えるようにしても良い。
【図面の簡単な説明】
【００６４】
【図１】実施の形態の運転免許証の外観図である。
【図２】運転免許証のブロック図である。
【図３】違反切符発行端末の外観図である。
【図４】違反切符発行端末の構成を示す図である。
【図５】交通違反管理システムの構成を示す図である。
【図６】警察官データベースの構成を示す図である。
【図７】違反者データベースの構成を示す図である。
【図８】違反データベースの構成を示す図である。
【図９】違反切符発行端末の動作を示すフローチャートである。
【図１０】違反切符発行時の運転免許証側の処理を示すフローチャートである。
【図１１】違反切符と記載事項変更時の表示例を示す図である。
【図１２】納付端末の構成を示す図である。
【図１３】反則金納付時の納付端末の処理を示すフローチャートである。
【図１４】反則金納付時のサーバ装置の処理を示すフローチャートである。
【図１５】納付端末の表示状態を示す図である。
【図１６】違反切符発行端末からの問い合わせに対するサーバ装置の処理を示すフローチャートである。
【符号の説明】
【００６５】
１１      運転免許証
１２、１３      電子ペーパー
２１、４４、６６      制御部
３１      違反切符発行端末
５１      サーバ装置
５２      納付端末
５４      警察官データベース
５５      違反者データベース
５６      違反データベース
【図１】
0005238320.tif 000002
【図２】
0005238320.tif 000003
【図３】
0005238320.tif 000004
【図４】
0005238320.tif 000005
【図５】
0005238320.tif 000006
【図６】
0005238320.tif 000007
【図７】
0005238320.tif 000008
【図８】
0005238320.tif 000009
【図９】
0005238320.tif 000010
【図１０】
0005238320.tif 000011
【図１１】
0005238320.tif 000012
【図１２】
0005238320.tif 000013
【図１３】
0005238320.tif 000014
【図１４】
0005238320.tif 000015
【図１５】
0005238320.tif 000016
【図１６】
0005238320.tif 000017